(57)【要約】      （修正有）【課題】加速度センサにより作業中にかかる物理的ストレスを数値で把握し、加速度センサに記憶されたデータに基づいて破損事故等を履歴によって分析して対処することができる加速度センサ内蔵パレットを提供する。【解決手段】加速度センサ内蔵パレット１は、熱可塑性樹脂をブロー成形して得られるものである。パレットを構成する中空二重壁構造体２は、中空部となる間隔をおいて対向する一方の壁である上面壁４と他方の壁である下面壁５および側面壁６からなる。中空二重壁構造体２は平面視が方形状であり、その上面壁４の対角線が互いに交わる中央位置に、加速度センサ１１を内蔵させる凹部１２を形成してある。凹部１２には複数の凸部１３を形成してあって加速度センサ１１を不動状態に保持する。【選択図】図１
2012188154.tif 000002
【特許請求の範囲】
【請求項１】
加速度センサを内蔵したパレットであって、
物品を載置するパレットは、上面壁、下面壁およびフォークリフトの爪を挿入可能な開口を有する側面壁からなり、
前記上面または前記側面に対して開放された凹部を有し、
前記凹部は内蔵させる加速度センサの外形寸法より開口幅が広くかつその開口幅を部分的に狭くする複数の凸部を形成してなり、
前記凹部に内蔵させる加速度センサをその周囲に隙間を設けて複数の凸部間に不動状態に保持する
ことを特徴とする加速度センサ内蔵パレット。
【請求項２】
パレットは、熱可塑性樹脂をブロー成形して得られる中空二重壁構造体で加速度センサを内蔵させる凹部を形成してあることを特徴とする請求項１記載の加速度センサ内蔵パレット。
【請求項３】
パレットを構成する中空二重壁構造体は平面視が矩形であり、その上面壁の対角線が互いに交わる中央位置に、加速度センサを内蔵させる凹部を形成してあることを特徴とする請求項２記載の加速度センサ内蔵パレット。
【発明の詳細な説明】
【技術分野】
【０００１】
本発明は、被運搬物や被搬送物を積載してフォークリフトにより運搬車両への積み変え作業をすることができるようにするためのパレットであって、被運搬物や被運搬物の物理的衝撃等によるストレスを数値で把握し、輸送中の破損事故を履歴によって分析可能とする加速度センサ内蔵パレットに関するものである。
【背景技術】
【０００２】
パレットは木製、金属製あるいは樹脂製など種々であるが、そのうち熱可塑性樹脂をブロー成形して得られる中空二重壁構造の樹脂製パレットは、特開２００３−１７０９４１号公報または実開平６−３８３４号公報に記載されているものが知られている。
また、測定対象物に対して加速度センサを取り付ける構成に関しては特開２０１０−１２７７０７号公報に記載されている。
【先行技術文献】
【特許文献】
【０００３】
【特許文献１】特開２００３−１７０９４１号公報
【特許文献２】実開平６−３８３４号公報
【特許文献３】特開２０１０−１２７７０７号公報
【発明の概要】
【発明が解決しようとする課題】
【０００４】
前掲の特許文献１に記載されている樹脂製パレットは、上部形成部分と下部形成部分とを合わせて一体化したものであり、また、特許文献２に記載されている樹脂パレットも、パレットを成す２枚の中空成形体を対向させて互いに溶着一体化したものである。
【０００５】
被運搬物や被搬送物をパレットに積載して運搬したり積み換える等の作業にあたっては、振動や衝撃等、被運搬物や被搬送物に対して種々の物理的ストレスを及ぼすおそれがあり、特に高価な物や精密機器のような被運搬物や被搬送物については作業中にかかる物理的ストレスを数値で把握し、破損事故等を履歴によって分析して適切に対処することが、近時強く要請されるに至っている。
【０００６】
そこで、本発明の目的は、被運搬物や被搬送物を積載するパレットに加速度センサを内蔵させる凹部を設けて、内蔵させる加速度センサをその周囲に隙間を設けて複数の凸部間に不動状態に保持するようにして、加速度センサにより作業中にかかる物理的ストレスを数値で把握し、加速度センサに記憶されたデータに基づいて破損事故等を履歴によって分析して適正に対処することができる加速度センサ内蔵パレットを提供するものである。
【課題を解決するための手段】
【０００７】
上記目的を達成する本発明の加速度センサ内蔵パレットは、加速度センサを内蔵したパレットであって、物品を載置するパレットは、上面壁、下面壁およびフォークリフトの爪を挿入可能な開口を有する側面壁からなり、前記上面または前記側面に対して開放された凹部を有し、前記凹部は内蔵させる加速度センサの外形寸法より開口幅が広くかつその開口幅を部分的に狭くする複数の凸部を形成してなり、前記凹部に内蔵させる加速度センサをその周囲に隙間を設けて複数の凸部間に不動状態に保持することを特徴とするものである。
【０００８】
そして、本発明による加速度センサ内蔵パレットにあっては、パレットが、熱可塑性樹脂をブロー成形して得られる中空二重壁構造体で加速度センサを内蔵させる凹部を形成してあること、またパレットを構成する中空二重壁構造体が平面視が矩形であり、その上面壁の対角線が互いに交わる中央位置に、加速度センサを内蔵させる凹部を形成してあることが好適である。
【発明の効果】
【０００９】
本発明によれば、被運搬物や被搬送物を積載するパレットに加速度センサを内蔵させる凹部を設けて、内蔵させる加速度センサをその周囲に隙間を設けて複数の凸部間に不動状態に嵌合するようにして、加速度センサにより作業中にかかる物理的ストレスを数値で把握し、加速度センサに記憶されたデータに基づいて破損事故等を履歴によって分析して適正に対処することができるものである。
【図面の簡単な説明】
【００１０】
【図１】本発明の一実施の形態に係る加速度センサ内蔵パレットの全体斜視図である。
【図２】同上全体平面図である。
【図３】同上加速度センサを取り外した態様を示す全体斜視図および部分拡大斜視図である。
【図４】同上要部拡大断面図である。
【図５】パレットに加速度センサ内蔵させる態様の要部斜視図である。
【発明を実施するための形態】
【００１１】
本発明の一実施の形態に係る加速度センサ内蔵パレット１は、熱可塑性樹脂をブロー成形して得られる中空二重壁構造体２からなるものである。この中空二重壁構造体２は平面視が方形状で、中空部３となる間隔をおいて対向する一方の壁である上面壁４と他方の壁である下面壁５およびその両壁の周端を一体につなぐ側面壁６を有している。前記側面壁６には、ブロー成形時において中空二重壁構造体２の一方の半体および他方の半体の互いの溶着面となるパーティングライン７が形成されるとともに、前記パーティングライン７に沿って互いの溶着面積を拡大するように外方に向けた凸条８を形成してある。
側面壁６には、その各四面にフォークリフトの爪（フォーク）を挿入するためのフォーク挿入孔９が形成されている。周囲壁６のパーティングライン７は、ブロー成形時に型締めされた部分に形成されてバリ（図示せず）を生じるので、パーティングライン７に沿って互いの溶着面積を拡大するように外方に向けた凸条８はバリを所要の突出長さ分を残して切除することにより形成される。
中空二重壁構造体２には、上面壁４および下面壁５を一体につなぐリブ１０を複数形成してある。このリブ１０は上面壁４側および下面壁５側からそれぞれ中空部３の方向に突出させて互いに溶着一体化しているが、上面壁４側または下面壁５側からそれぞれ突出させて対向する壁と溶着一体化した態様とすることもできる。
【００１２】
中空二重壁構造体２の上面壁４には、図２に示すように、上面壁４の対角線ａ，ｂが互いに交わる中央位置に、加速度センサ（Ｇセンサと略称することもある）１１を内蔵させる凹部１２が形成されており、凹部１２はその中心位置と上面壁４の対角線ａ，ｂが互いに交わる中央位置とを一致させて設けてある。
凹部１２は、内蔵させる加速度センサ１１の外形寸法より開口幅が広くかつその開口幅を部分的に狭くする複数の凸部１３を形成してある。このため、凹部１２には加速度センサ１１をその周囲に隙間１４を設けて複数の凸部１３間において当接させることにより不動状態にかつ、着脱自在に保持される。また、凹部１２の開口側周囲には凹段部１５が形成されており、この凹段部１５には蓋板１６がその四隅部をビス１７止めして、加速度センサ１１を内蔵させた凹部１２を蓋板１６で閉じるものとする。なお、蓋板１６は加速度センサ１１の内蔵状態の視認を可能とうえで透明ないしは半透明であることが望ましい。
凹部１２に内蔵させた加速度センサ１１は、中空二重壁構造体２の方形状と各辺が平行となるように中空二重壁構造体２の中央部に位置するので、加速度センサ１１はパレットの横軸Ｘ、縦軸Ｙおよび垂直軸Ｚの三方向と加速度センサ１１のＸ，Ｙ，Ｚとを一致させて内蔵することができる。このため、パレットを介して受けることのある被運搬物や被搬送物の物理的ストレスをその方向とともに高い精度で検出することができる。なお、加速度センサ１１に記憶されたデータは、パレットから加速度センサ１１を取り外して検知装置により収集するものとする。
【００１３】
図示した一実施の形態において、パレットを構成する中空二重壁構造体２の平均肉厚は２〜８ｍｍ、中空部３の高さは９０〜２００ｍｍ、パーティングライン７に沿って形成される凸条８の突出幅は１．０〜７．０ｍｍ、凸条８の厚さは１．０〜５．０ｍｍである。凸条８はバリを所要の突出長さ分を残して切除したままの形状でもよいが、外観を考慮すれば突出方向にやや先細りの形状にしたり丸みを帯びた形状にするのが好ましい。
【００１４】
本発明に係る加速度センサ内蔵パレット１を構成する熱可塑性樹脂は、ポリエチレン、ポリプロピレンなどのポリオレフィン系樹脂、ポリアミド樹脂、ポリエチレンテレフタート樹脂、ポリブチレンテレフタート樹脂、ポリスチレン樹脂、ＡＢＳ樹脂、ポリカーボネート樹脂、変性ポリフェニレンオキサイド樹脂あるいはこれらのブレンド物など、剛性にすぐれたブロー成形可能な熱可塑性樹脂である。
【００１５】
本発明に係る加速度センサ内蔵パレット１は、図示の一実施の形態のようにパレットを構成する中空二重壁構造体２の上面壁４に加速度センサ１１を内蔵させるもののほか、中空二重壁構造体２の側面壁６に開口する凹部に内蔵させるものとすることができる。また、パレットは樹脂製のほか木製であることも可能である。パレットを構成する中空二重壁構造体２は方形状のほか矩形状であってもよい。
【符号の説明】
【００１６】
１  加速度センサ内蔵パレット
２  中空二重壁構造体
３  中空部
４  上面壁
５  下面壁
６  側面壁
７  パーティングライン
８  凸条
９  フォーク挿入孔
１０  リブ
１１  加速度センサ
１２  凹部
１３  凸部
１４  隙間
１５  凹段部
１６  蓋板
１７  ビス
【図１】
2012188154.tif 000003
【図２】
2012188154.tif 000004
【図３】
2012188154.tif 000005
【図４】
2012188154.tif 000006
【図５】
2012188154.tif 000007